【手続補正書】
【提出日】平成28年9月23日(2016.9.23)
【手続補正１】
【補正対象書類名】特許請求の範囲
【補正対象項目名】全文
【補正方法】変更
【補正の内容】
【特許請求の範囲】
【請求項１】
単回適用用量の局所薬物を含むリザーバーを含むキットであって、前記キットが使用者の手の１本の指を被覆するよう構成したグローブも含み、前記キットが、単回使用後に廃棄されるよう構成される、キット。
【請求項２】
前記リザーバーが、安全に投与できる量を超えない量の薬物のみを含む、請求項１に記載のキット。
【請求項３】
前記リザーバーが、患者の医学的状態に有効な量の薬物を含む、請求項１に記載のキット。
【請求項４】
前記薬物が、ホルモン、抗生物質、麻酔剤、消毒薬、抗菌剤（たとえば、抗真菌剤および抗細菌剤）、性的不能治療薬、抗炎症剤、抗ヒスタミン剤、抗アレルギー剤、抗疼痛薬、鎮痛剤、ざ瘡薬、抗しわ剤または抗加齢化合物、毛髪染料、保湿剤、育毛剤または皮膚成長促進剤、ならびに洗浄剤からなる群から選択される薬剤を含む、請求項１ないし３のいずれか１項に記載のキット。
【請求項５】
前記薬物が、患者の肛門領域または膣領域の医学的状態を処置する薬物である、請求項１に記載のキット。
【請求項６】
前記肛門領域の医学的状態が、肛門そう痒症、肛門の疼痛、裂肛、肛門の痒み、痔核、肛門新生物、肛門炎症、性行為感染症または肛門感染症であり、あるいは、前記膣領域の医学的状態が、感染症、膣の痒み、腟炎、膣性行為感染症、または膣癌である、請求項５に記載のキット。
【請求項７】
前記薬物が、ニトログリセリン、ジルチアゼム、ドキサゾシン、他のカルシウムチャネル遮断薬、および他のαアドレナリン受容体遮断薬のうちの１つ以上を含む、請求項５に記載のキット。
【請求項８】
前記グローブが、少なくとも人差し指もしくは中指の末節骨および中節骨、少なくとも前記人差し指もしくは前記中指の末節骨、中節骨、および基節骨、または、１本の指の中手指節関節を含み、ならびに、前記中手指節関節の先端の指全体、または親指を被覆する、請求項１ないし７のいずれか１項に記載のキット。
【請求項９】
前記グローブが、前記指と実質的に接触する第１の先端部と、最も幅の広い部分で、前記第１の先端部の内径よりも広い内径を有するスカート部を含む第２の基端部とを含む、請求項８に記載のキット。
【請求項１０】
前記スカートが、前記第１の先端部の基端端部から前記第２の基端部の先端の周縁部へと放射状に延びる、請求項９に記載のキット。
【請求項１１】
前記スカートが、前記指の付け根の部分で、前記手の少なくとも一部を被覆する、請求項９に記載のキット。
【請求項１２】
前記キットが、開口部に関して、前記グローブの前記第１の先端部の外側に前記使用者が接触することなく前記スカートを除去するために、前記使用者が前記スカートの基端端部の一部を把持することのできる、請求項９に記載のキット。
【請求項１３】
前記キットが、生物分解性があり、および／またはトイレに流すことに適している、請求項１ないし１２のいずれか１項に記載のキット。
【請求項１４】
前記キットが、前記リザーバーを含む第１の区画、および前記グローブを含む第２の区画を含む少なくとも２つの区画を含む、請求項１ないし１３のいずれか１項に記載のキット。
【請求項１５】
前記第２の区画が、前記グローブの前記第２の基端部の基端端部の少なくとも一部で開口し、存在するよう構成される、請求項１４に記載のキット。
【請求項１６】
前記少なくとも２つの区画が、少なくとも１つの壁を部分的に共有する、請求項１４に記載のキット。
【請求項１７】
前記少なくとも部分的に共有した壁が、二重の区画ホイルまたはプラスチックのポーチの分割端、前記２つの別々の区画のそれぞれの共有した壁、前記リザーバーの着脱可能で、開口可能なふたおよび前記グローブを含む前記区画の壁、前記リザーバー区画の着脱可能または開口可能なふたおよび前記グローブを含む前記区画の壁、前記グローブを含む区画の着脱可能または開口可能なふたおよび前記リザーバーの壁、ならびに前記リザーバーの区画および前記グローブを含む区画のいずれかまたは両方のふたのうちの１つ以上を含む、請求項１６に記載のキット。
【請求項１８】
前記少なくとも２つの区画が、分離されている、請求項１４に記載のキット。
【請求項１９】
前記リザーバーが、浸漬および／もしくは擦過によって前記使用者の指によりある用量の前記薬物を除去できるよう構成され、および／または、前記リザーバーの力を適用する際前記グローブをした指で前記薬物を排出するよう構成される、請求項１ないし１８のいずれか１項に記載のキット。
【請求項２０】
薬物を適用する方法であって、請求項１に記載のキットを提供することと、使用者の手の１本の指にグローブを着けることと、前記リザーバーからある量の前記薬物を接触させることと、単回適用用量の前記薬物を、処置される患者の領域へ接触させることとを含む、方法。
【請求項２１】
請求項１ないし２０のいずれか１項に記載の複数のキットを含む製品。
【請求項２２】
パッケージ内に封入された１つの１本指グローブを含む製品であって、前記１本指グローブが、使用者の手の指が前記グローブに挿入される際に前記指を被覆するよう構成された先端部と、前記先端部の基端端部に取り付けられた基端部であって、前記基端部が、最も幅の広い部分で前記先端部の最大内径よりも広い内径を有するスカートを含む、基端部とを含み、前記スカートが、前記挿入した指の近くの前記使用者の手の少なくとも一部を被覆し、前記パッケージが、開口するよう構成された領域を含み、および前記開口するよう構成した領域で前記パッケージを開口する際、前記パッケージから前記１本指グローブを除去するために前記スカートの少なくとも一部が前記使用者に提供され、および前記使用者が把持することができるように、前記パッケージ内部に前記１本指グローブを含む、
製品。
【請求項２３】
前記グローブが、少なくとも末節骨および中節骨、少なくとも末節骨、中節骨、および基節骨、または指の中手指節関節を含み、前記中手指節関節の先端の指全体を被覆する、請求項２２に記載の製品。
【請求項２４】
前記１本指グローブが、ラテックス、ビニル（ポリビニルクロリド）、ゴム、ブチルゴム、ニトリルゴム、バイトン（Ｖｉｔｏｎ）（登録商標）、ネオプレン、ポリイソプレン、プラスチック、紙、綿、織布用セルロース繊維、またはビニルポリビニルアルコール（ｖｉｎｙｌ  ｐｏｌｙｖｉｎｙｌ  ａｌｃｏｈｏｌ）を含む、請求項２２または２３に記載の製品。
【請求項２５】
前記１本指グローブが、流体または薬物による浸透を通さないようにする物質で被覆されている、請求項２２ないし２４のいずれか１項に記載の製品。
【請求項２６】
前記１本指グローブが、弾性または可撓性である、請求項２２ないし２５のいずれか１項に記載の製品。
【請求項２７】
前記１本指グローブが、使い切りに適しており、または使い捨てられる、請求項２２ないし２６のいずれか１項に記載の製品。
【請求項２８】
前記パッケージの少なくとも内部が無菌であり、生体分解性であり、浄化タンクに安全に廃棄され、および／またはトイレに流すことができる、請求項２２ないし２７のいずれか１項に記載の製品。
【請求項２９】
前記スカートが、前記基端部の前記先端端部から放射状に延びる、請求項２２ないし２８のいずれか１項に記載の製品。
【請求項３０】
前記スカートが、前記スカートの基端端部へと放射状に延びる、請求項２２ないし２９のいずれか１項に記載の製品。
【請求項３１】
前記使用者が、前記グローブの他の部分を把持することを必要とせず、前記スカートを把持することができる、請求項２２ないし３０のいずれか１項に記載の製品。
【請求項３２】
前記スカートが、前記中手指節関節の基端の前記手の少なくとも一部を被覆する、請求項２２ないし３１のいずれか１項に記載の製品。
【請求項３３】
前記パッケージが、ホイル、紙、またはセルロース、またはプラスチック、または他のポリマーを含む、請求項２２ないし３２のいずれか１項に記載の製品。
【請求項３４】
前記ポーチが、開口するよう構成された領域を含み、前記領域が、前記開口したポーチを引き裂くことを容易にする切れ目、前記ポーチの開口を容易にする切り取り線、または開口可能なふたもしくはシールを含む、請求項２２ないし３３のいずれか１項に記載の製品。
【請求項３５】
前記パッケージが、剛性の物質を少なくとも部分的に含む区画、または非剛性の物質を少なくとも部分的に含む区画を含む、請求項２２ないし３４のいずれか１項に記載の製品。
【請求項３６】
前記区画が、ふたおよび１つ以上の側面を含み、前記側面および前記ふたが除去されるよう構成される、請求項３５に記載の製品。
【請求項３７】
前記剛性の物質が、プラスチック、ポリマー、金属、ホイル、または紙を含み、前記非剛性の物質が、プラスチック、ポリマー、ゴム、金属、ホイル、または紙を含む、請求項３５に記載の製品。
【請求項３８】
前記１本指グローブが無菌であり、および／または前記パッケージが、前記１本指グローブのために無菌環境を作製する、請求項２２ないし３７のいずれか１項に記載の製品。
【請求項３９】
請求項２２ないし３８のいずれか１項に記載の複数の製品を含む、キット。
【請求項４０】
挿入された指の周囲長領域の実質的にすべてと接触する先端部と、前記先端部よりも大きな直径を有する基端スカート部であって、前記先端部内の指の近くの手の一部を外側に出し（ｆａｎ  ｏｕｔ）、被覆するよう構成される、基端スカート部とを含む、１本指グローブ。
【請求項４１】
パッケージ内に封入される１本指グローブを含む製品であって、
使用者の手からの１本の指が前記グローブの１つのキャビティに挿入される際、前記指を被覆するよう構成される先端部と、
前記先端部の基端端部に取り付けられた基端部であって、最も幅の広い場所で、前記先端部の最大内径よりも広い内径を有するスカートを含む、基端部と
を含み、
前記スカートが前記挿入した指の近くの前記使用者の手の少なくとも一部を被覆し、
前記パッケージが、開口するよう構成した領域を含み、前記開口するよう構成した領域での前記パッケージを開口する際、前記パッケージから前記１本指グローブを除去するために、前記スカートの少なくとも一部が前記使用者に提供され、前記使用者が把持するよう使用できるような方法で、前記パッケージ内部に前記１本指グローブを含む、
製品。
【請求項４２】
前記グローブが、少なくとも末節骨および中節骨、少なくとも末節骨、中節骨、および基節骨、または前記指の中手指節関節を含み、中手指節関節の先端の指全体を実質的に被覆する、請求項４１に記載の製品。
【請求項４３】
前記１本指グローブが、弾性または可撓性であり、使い切りに適しており、または使い捨てである、請求項４１または４２に記載の製品。
【請求項４４】
前記パッケージが、封入したグローブに無菌環境を提供し、生体分解性であり、浄化タンクに安全に廃棄され、および／またはトイレに流すことができる、請求項４１ないし４３のいずれか１項に記載の製品。
【請求項４５】
前記スカートが、前記基端部の前記先端端部から放射状に延びる、請求項４１ないし４４のいずれか１項に記載の製品。
【請求項４６】
前記使用者が、前記グローブの他の部分を把持するか、または他の部分と接触することを必要とすることなく前記グローブが前記パッケージ内にある際に、前記使用者が前記スカートの一部を把持することができる、請求項４１ないし４５のいずれか１項に記載の製品。
【請求項４７】
前記スカートが、前記中手指節関節の基端の、前記手の少なくとも一部を被覆する、請求項４１ないし４６のいずれか１項に記載の製品。
【請求項４８】
前記パッケージが、ホイル、紙、またはセルロース、またはプラスチック、または他のポリマーを含むポーチである、請求項４１ないし４７のいずれか１項に記載の製品。
【請求項４９】
前記パッケージが、剛性の物質を少なくとも部分的に含む区画、または非剛性の物質を少なくとも部分的に含む区画を含む、請求項４１ないし４８のいずれか１項に記載の製品。
【請求項５０】
請求項４１ないし４９のいずれか１項に記載の複数の製品を含むキット。
【請求項５１】
前記キットが、単回適用または単回用量に十分な薬物量を有する使い切りコンテナ内に封入される局所薬物をさらに含む、請求項５０に記載のキット。
【請求項５２】
局所薬物の使用により処置できる状態を処置する方法であって、
前記状態を伴う体の領域に前記局所薬物を使用することにより処置でき、または前記使用に関して、前記状態を伴う領域の処置を許可されている医学的状態に関して、前記局所薬物の有効量を使用することを含み、
前記使用が、１本指グローブの用量との接触を用いて行われ、前記領域に適用される、
方法。
【請求項５３】
前記状態が医学的状態または美容上の状態である、請求項５２に記載の方法。
【請求項５４】
１つのグローブを保持するパッケージ内にグローブを提供することをさらに含む、請求項５２または５３に記載の方法。
【請求項５５】
１用量のみの薬物を含むパッケージ内に薬物を提供することをさらに含む、請求項５２ないし５４のいずれか１項に記載の方法。
【請求項５６】
前記グローブおよび薬物が、キットの一部として提供される、請求項５４または５５に記載の方法。